(57)【要約】  直列に接続された赤色LED、緑色LED及び青色LEDを駆動するための共振モードスイッチングコントローラ回路であって、DC電源と、第１のトランジスタ、第１のダイオード及び第１のチョークコイルを備えるステップダウン回路と、第２のトランジスタ、第２のダイオード及び第２のチョークコイルを備える極性反転回路と、前記ステップダウン回路の正極の出力端と、前記極性反転回路の負極の出力端との間に、直列に接続された赤色LED、緑色LED及び青色LEDと、前記第１のチョークコイルに並列に接続されたXu素子を含む第１のフィルタユニットと、前記第２のチョークコイルに並列に接続されたXu素子を含む第２のフィルタユニットとを備え、前記ステップダウン回路及び前記極性反転回路は、前記DC電源に並列に接続されていることを特徴とする。【選択図】図２
2010507903.tif 000002
【特許請求の範囲】
【請求項１】
直列に接続された赤色LED、緑色LED及び青色LEDを駆動するための共振モードスイッチングコントローラ回路であって、
DC電源と、
第１のトランジスタ、第１のダイオード及び第１のチョークコイルを備えるステップダウン回路と、
第２のトランジスタ、第２のダイオード及び第２のチョークコイルを備える極性反転回路と、
前記ステップダウン回路の正極の出力端と、前記極性反転回路の負極の出力端との間に、直列に接続された赤色LED、緑色LED及び青色LEDと、
前記第１のチョークコイルに並列に接続されたXu素子を含む第１のフィルタユニットと、
前記第２のチョークコイルに並列に接続されたXu素子を含む第２のフィルタユニットと
を備え、
前記ステップダウン回路及び前記極性反転回路は、前記DC電源に並列に接続されていることを特徴とする共振モードスイッチングコントローラ回路。
【請求項２】
前記第１のトランジスタと前記第２のトランジスタとは、メガヘルツ（MHｚ）体の周波数を有するスイッチング信号によりスイッチングされることを特徴とする請求項１に記載の共振モードスイッチングコントローラ回路。
【請求項３】
前記スイッチング信号の周波数は、５０MHｚから１００MHｚの範囲に属することを特徴とする請求項２に記載の共振モードスイッチングコントローラ回路。
【請求項４】
前記Xu素子は、
第１の誘電体であって、周波数が増加すると該第１の誘電体のインピーダンスが減少する第１の誘電体と、
前記第１の誘電体に隣接して配置された第２の誘電体であって、周波数が増加すると該第２の誘電体のインピーダンスが増加する第２の誘電体と
を含み、前記第１の誘電体と前記第２の誘電体とは焼結されていることを特徴とする請求項１乃至３のいずれか１項に記載の共振モードスイッチングコントローラ回路。
【請求項５】
前記Xu素子は、
第１の誘電体と第２の誘電体との混合物である混合誘電体を含み、
前記第１の誘電体のインピーダンスは周波数の増加に従って減少し、前記第２の誘電体のインピーダンスは周波数の増加に従って増加し、
前記混合誘電体は焼結されていることを特徴とする請求項１乃至３のいずれか１項に記載の共振モードスイッチングコントローラ回路。
【請求項６】
前記Xu素子は、
第１の誘電体と第２の誘電体との混合物である混合誘電体を含み、
前記第１の誘電体のインピーダンスは周波数の増加に従って減少し、前記第２の誘電体のインピーダンスは周波数の増加に従って増加し、
前記第１の誘電体と前記第２の誘電体とは、混合前に予め焼結されていることを特徴とする請求項１乃至３のいずれか１項に記載の共振モードスイッチングコントローラ回路。
【請求項７】
前記第１の誘電体は、負の抵抗温度係数を有し、
前記第２の誘電体は、正の抵抗温度係数を有する
ことを特徴とする請求項４乃至請求項６のいずれか１項に記載の共振モードスイッチングコントローラ回路。
【請求項８】
前記第１の誘電体は、金属酸化物であることを特徴とする請求項４乃至請求項７のいずれか１項に記載の共振モードスイッチングコントローラ回路。
【請求項９】
前記第１の誘電体は、金属窒化物であることを特徴とする請求項４乃至請求項７のいずれか１項に記載の共振モードスイッチングコントローラ回路。
【請求項１０】
前記第２の誘電体は、金属誘電体であることを特徴とする請求項４乃至請求項９のいずれか１項に記載の共振モードスイッチングコントローラ回路。
【請求項１１】
前記第２の誘電体は、ガリウム砒素であることを特徴とする請求項４乃至請求項９のいずれか１項に記載の共振モードスイッチングコントローラ回路。
【発明の詳細な説明】
【技術分野】
【０００１】
本発明はＬＥＤ駆動回路に関する。より詳細には、本発明は直列に接続されたＲＧＢ発光ダイオード（ＬＥＤ）を駆動するためのＬＥＤ駆動回路に関する。
【背景技術】
【０００２】
従来、赤色ＬＥＤ（発光ダイオード）、緑色ＬＥＤ及び青色ＬＥＤを用いて白色光を生成するためには、これらのＬＥＤが図１に示すように並列されていなければならなかった（特許文献１を参照）。これは、各色のＬＥＤが駆動電圧について固有の特性を有していたためである。
【特許文献１】特開２００５−３０２７１２号公報
【発明の開示】
【発明が解決しようとする課題】
【０００３】
本発明は、直列に接続されたＲ，Ｇ、ＢのＬＥＤを駆動するためのＬＥＤ駆動回路を提供する。
【課題を解決するための手段】
【０００４】
本発明の１つの側面によれば、直列に接続された赤色LED、緑色LED及び青色LEDを駆動するための共振モードスイッチングコントローラ回路が提供される。当該共振モードスイッチングコントローラ回路は、DC電源と、第１のトランジスタ、第１のダイオード及び第１のチョークコイルを備えるステップダウン回路と、第２のトランジスタ、第２のダイオード及び第２のチョークコイルを備える極性反転回路と、前記ステップダウン回路の正極の出力端と、前記極性反転回路の負極の出力端との間に、直列に接続された赤色LED、緑色LED及び青色LEDと、前記第１のチョークコイルに並列に接続されたXu素子を含む第１のフィルタユニットと、前記第２のチョークコイルに並列に接続されたXu素子を含む第２のフィルタユニットとを備え、前記ステップダウン回路及び前記極性反転回路は、前記DC電源に並列に接続されていることを特徴とする。
【０００５】
本発明の別の側面によれば、第１のトランジスタと第２のトランジスタとは、メガヘルツ（MHｚ）体の周波数を有するスイッチング信号によりスイッチングされてもよい。スイッチング信号の周波数は、５０MHｚから１００MHｚの範囲に属していてもよい。
【０００６】
発明の更なる側面によれば、Xu素子は、第１の誘電体であって、周波数が増加すると該第１の誘電体のインピーダンスが減少する第１の誘電体と、第１の誘電体に隣接して配置された第２の誘電体であって、周波数が増加すると該第２の誘電体のインピーダンスが増加する第２の誘電体とを含むことができ、第１の誘電体と第２の誘電体とは焼結されていることを特徴とする。
【０００７】
本発明の更なる側面によれば、Xu素子は、第１の誘電体と第２の誘電体との混合物である混合誘電体を含むことができ、第１の誘電体のインピーダンスは周波数の増加に従って減少し、第２の誘電体のインピーダンスは周波数の増加に従って増加し、混合誘電体は焼結されている。
【０００８】
本発明の更なる側面によれば、Xu素子は、第１の誘電体と第２の誘電体との混合物である混合誘電体を含むことができ、第１の誘電体のインピーダンスは周波数の増加に従って減少し、第２の誘電体のインピーダンスは周波数の増加に従って増加し、第１の誘電体と第２の誘電体とは、混合前に予め焼結されている。
【０００９】
本発明の更なる側面によれば、第１の誘電体は、負の抵抗温度係数を有し、第２の誘電体は、正の抵抗温度係数を有することができる。
【００１０】
本発明の更なる側面によれば、第１の誘電体を金属酸化物、または、金属窒化物とし、第２の誘電体を金属誘電体、または、ガリウム砒素とすることができる。
【００１１】
発明の好適な実施形態は、添付の図面を参酌して如何に記述される。いくつかの実施形態における電子素子は、様々な電子回路（電気回路を含む）に適用可能である。
【発明を実施するための最良の形態】
【００１２】
ここで、本発明の実施形態を添付の図面を参照して詳細に説明する。
【００１３】
図２は、直列に接続された赤色ＬＥＤ、緑色ＬＥＤ及び青色ＬＥＤを駆動するための共振モードスイッチングコントローラ回路を示す。当該回路は、Ｘｕ素子を含むフィルターユニットを有する。当該回路はまた、直流電源ＤＣ、トランジスタＴｒ１及びＴｒ２、ダイオードＤ１及びＤ２、チョークコイルＬ１及びＬ２、及び、キャパシタＣ１、Ｃ２、Ｃ３及びＣ４を有する。
【００１４】
トランジスタＴｒ１、ダイオードＤ１、チョークコイルＬ１及びキャパシタＣ１及びＣ２は、ステップダウン回路２０１を構成するように接続されている。１つのＸｕ素子（Ｘｕ１）はキャパシタＣ５と共に、チョークコイルＬ１に並列に接続されて、フィルターユニットＦ１を構成している。
【００１５】
トランジスタＴｒ２、ダイオードＤ２、チョークコイルＬ２及びキャパシタＣ３及びＣ４は、極性反転回路２０２を構成するように接続されている。もう１つのＸｕ素子（Ｘｕ２）はキャパシタＣ６と共に、チョークコイルＬ２に並列に接続されて、フィルターユニットＦ２を構成している。
【００１６】
ステップダウン回路２０１及び極性反転回路２０２は電源ＤＣに並列に接続されている。
【００１７】
Ｘｕ素子の詳細については後述する。
【００１８】
赤色ＬＥＤ：Ｒ、緑色ＬＥＤ：Ｇ及び青色ＬＥＤ：Ｂは、ステップダウン回路の正極側の出力端Ｖｏと極性反転回路２０２の負極側出力端−Ｖｏとの間で直列に接続される。このとき、直列接続の順番は図２に示すパターンに限定されるものではない。
【００１９】
赤、緑、青の3色のＬＥＤは、直列接続されている限り、一体の素子に統合されていても良いし、それぞれが独立した素子として構成されてもよい。
【００２０】
トランジスタＴｒ１は、ベースに入力されるスイッチング信号Ｓ１によりスイッチングされる。トランジスタＴｒ２もまた、ベースに入力されるスイッチング信号Ｓ２によりスイッチングされる。スイッチング信号Ｓ１及びＳ２は、ＭＨｚ帯の周波数を有する。好ましくは、スイッチング信号Ｓ１とＳ２の周波数は５０ＭＨｚから１００ＭＨｚの範囲に属する。
【００２１】
従来のＬＥＤ回路では、レンツの法則に従って、トランジスタＴｒ１とＴｒ２はＭＨｚ帯の周波数の信号によってスイッチングすることができなかった。更に、ＲＦ電力がチョークコイルに供給されると、ＲＦパワーはチョークコイルのインダクタにより消費されてしまう。
【００２２】
一方、好適な実施形態によれば、フィルタＦ１及びＦ２を利用することで、トランジスタＴｒ１及びＴｒ２はＭＨｚ帯の周波数信号によりスイッチングされる。フィルターユニットＦ１及びＦ２は、チョークコイルＬ１及びＬ２のインダクタに並列に接続されるため、インダクタに適用されるＲＦ電力はフィルターユニットの機能により消費されない。
【００２３】
Ｒ，Ｇ、ＢのＬＥＤによる発光光のスペクトルは、赤外線から紫外線の範囲で制御可能である。
【００２４】
本発明の共振モードスイッチングコントローラ回路は、ＲＦ（無線周波数：非常に高い周波数）電源或いは、共振モードＲＦジェネレータとして動作することができる。
【００２５】
本発明では、フィルターユニットＦ１とＦ２とがあれば十分であり、マルチステージのフィルタを使用する必要はない。ステージの数には限界があり、ゆえに電力損失は残存する。さらに、フィルタの数、サイズ及びコストは、ステージ数が増加するにしたがい増加する。本発明によれば、電力損失を簡単な構造で削減することができ、発熱も軽減することができる。
【００２６】
以下では、Ｘｕ素子の詳細について記述する。
【００２７】
図３は、ポジティブタイプ（Ｐタイプ）の誘電体の抵抗値（インピーダンス）の変化を、温度の関数として示した図である。ＴＲminよりも低い温度では、抵抗は温度の増加に対し減少する。しかし、TRminを超えると抵抗は温度の増加と共に増加し、正の傾きを得る。温度ＴＳは、抵抗Ｒ２５℃の２倍の抵抗値となる温度を示している。図４は、Ｐタイプの誘電体の温度（電流Ｉ）の変化を、時間の関数として示した図である。図４に示すように、温度（電流Ｉ）は、時間と共に徐々に増加する。
【００２８】
図５は、ネガティブタイプ（Ｎタイプ）の誘電体の抵抗（インピーダンス）の変化を、温度の関数として示した図である。ここでＮタイプの誘電体の抵抗値は温度の上昇に従って減少し、負の傾きが得られる。図６は、ｎタイプの誘電体の温度（電圧Ｖ）の変化を、時間の関数として示した図である。図６に示すように、温度（電圧Ｖ）は時間が経過するにつれて徐々に減少する。
【００２９】
図７はｐタイプ誘電体のＩ−Ｖ特性を示す図である。ここでは、供給電圧が１０Ｖより小さくなると、電圧の増加に伴って電流も増加する。一方供給電圧が１０Ｖを超えると、電圧の増加に従って電流が徐々に減少していく。よって、Ｐタイプの誘電体は誘電インダクタとして機能する。
【００３０】
図８は、ｎタイプ誘電体のＶ−Ｉ特性を示す図である。ｎタイプ誘電体にかかる電圧は、電流Ｉ0において最大値を取る。電流値Ｉ0がより小さくなると、電圧値は電流の増加に従い徐々に減少する。よって、ｎタイプの誘電体は誘電キャパシタとして機能する。
【００３１】
ここで更に述べるように、ｐタイプの誘電体とｎタイプの誘電体とは焼結され、互いに隣接して配置される。係る構成により、焼結材料はフィルタとして動作することが可能となり、そのカットオフ周波数は入力信号の周波数に応じて効果的に変化する。この効果を図９を参照して説明する。
【００３２】
図９は、デュアル・トンネル効果のヒステリシスを時間領域において示したものである。図９Ａは、図７及び図８に対応するｐタイプとｎタイプの誘電体のＩ−Ｖ特性を示す。ｐタイプ誘電体とｎタイプ誘電体とが焼結され、互いに隣接配置されると、焼結物は図９Ｂに示すような周波数領域における抵抗のヒステリシス効果を示す。図９Ｂに示す周波数応答は、巡回特性を有し、入力信号の周波数に応じて変化する。この焼結材料のことを、ここでは"Ｘｕ素子"と呼ぶ。
【００３３】
発明の好適な実施形態によれば、複数のカットオフ周波数を扱うために複数のＬＣフィルターを用意する必要がない。このような動的に調節されるカットオフ周波数は、携帯電話、コンピュータ、ＬＥＤや太陽電池セルといった電子デバイスにとって大変有益なものであろう。
【００３４】
図１０は、Ｘｕ素子に提供されるＲＦ電力を時間関数として表した図である。なお、Ｘｕ素子に提供されるＲＦ電力は、極めて短時間に減少する。もし、別の周波数の入力ＲＦ電力が供給された場合、Ｘｕ素子のカットオフ周波数はそれに合わせて変化する。よって、当該別周波数の入力ＲＦ電力をキャンセルするためのカットオフ周波数を有する追加のフィルタを使わずとも、ＲＦ電力を減少させることができる。
【００３５】
図１１は、図１０に対応する、Ｘｕ素子に適用されるＲＦ電力を周波数関数として表した図である。図１１に示すように、提供されるＲＦ電力は周波数の変化に応じて徐々に減少する。これは、Ｘｕ素子のカットオフ周波数が効果的に変化するためである。結果として、提供されるＲＦ電力は極めて短時間で消滅してしまう。
【００３６】
図１２は、発明の好適な実施形態に対応する電子素子を製造する方法のフローチャートである。
【００３７】
ステップ１３ａでは、第１の誘電体（ｎタイプ誘電体）１０１が用意される。第１の誘電体１０１のインピーダンスは、周波数の増加に伴って減少する。第１の誘電体１０１には例えば、金属酸化物（例えば、Ａｌ2Ｏ3）や金属窒化物(例えばＡｌＮ)があるが、本発明はこれらの材料に限定されるものではない。
【００３８】
ステップ１３ｂでは、第２の誘電体（ｐタイプ誘電体）１０２が第１の誘電体１０１の隣に配置される。第２の誘電体１０２のインピーダンスは、周波数の増加に応じて増加するものである。第２の誘電体１０２は、例えば、ガリウム砒素や金属誘電体（ＢａＴｉＯ3）などであるが、本発明はこれらの材料に限定されるものではない。
【００３９】
第１の誘電体１０１と第２の誘電体とは、導体を構成するために焼結される。焼結温度は、第１の誘電体１０１と第２の誘電体１０２とに依存するが、好ましくは１０００℃から１４００℃までの範囲に属し、より好ましくは、１１００℃から１３００℃の範囲に属し、最も好ましい焼結温度は１２００℃である。これにより、第１の誘電体１０１と第２の誘電体１０２とは、導体の電子素子（Ｘｕ素子）となる。
【００４０】
共振電子素子の共振周波数は、入力信号の周波数に応じて効果的に変化し、最終的に入力信号の周波数と一致する。よって、最適なインピーダンスマッチングが達成され、電力損失を大幅に削減することができる。
【００４１】
第１の誘電体１０１と第２の誘電体１０２とは、これらの材料を用意した後に焼結されるが、各材料を前もって焼結しておき、その後に両者を隣接して配置しても良い。また、セラミック共振素子のような抵抗を、第１の誘電体１０１と第２の誘電体１０２との間に配置しても良い。
【００４２】
好ましくは、第１の誘電体１０１は抵抗について負の温度係数を有し、第２の誘電体１０２は、抵抗について正の温度係数を有する。第１の誘電体１０１と第２の誘電体１０２との抵抗について温度係数が実質的に同一であっても良い。即ち、第１の誘電体１０１と第２の誘電体１０２との抵抗について温度係数は、実質的に同一の大きさを有し、符号が互いに逆であることが好ましい。
【００４３】
図１３は発明の好適な実施形態に対応する電子素子を製造する方法のフローチャートである。
【００４４】
ステップ１４ａでは、第１の誘電体の粉末及び第２の誘電体の粉末を用意する。そして、これらの材料を混合して、混合誘電体１３０１を生成する。第１の誘電体１０１のインピーダンスは、周波数の増加に従って減少する。第１の誘電体１０１は、例えば、金属酸化物か、金属窒化物とすることができる。第２の誘電体１０２のインピーダンスは、周波数の増加に従って増加する。第２の誘電体１０２は、例えばガリウムヒ素や金属誘電体（例えば、ＢａＴｉＯ3）とすることができる。
【００４５】
ステップ１４ｂでは、ステップ１４aで形成された混合誘電体１３０１が焼結処理される。この焼結処理により、誘電体を絶縁体から導電体１３０２へ変化させることができる。これにより、好適な実施形態に対応する電子素子（Xu素子）を形成することができる。ステップ１４ｂでは、焼結温度の好適な範囲を１０００℃から１４００℃とする。より好適な焼結温度の範囲は１１００℃から１３００℃であり、最適な焼結温度は１２００℃である。
【００４６】
このように、電子素子を簡単な構造で製造することができる。
【００４７】
共振電子素子の共振周波数は、入力信号の周波数に従って効果的に変化し、最終的に入力信号の周波数に一致する。よって、好ましいインピーダンスマッチングが達成され、電力損失を大幅に削減することができる。
【００４８】
上記では、第１の誘電体と第２の誘電体の粉末をこれらを混合した後に焼結しているが、これらの材料を先に焼結した後で混合しても良い。
【００４９】
好ましくは、第１の誘電体は、負の抵抗温度係数を有し、第２の誘電体は、正の抵抗温度係数を有する。更に、第１の誘電体の抵抗温度係数と、第２の誘電体の抵抗温度係数とは、実質的に同じ大きさであることが好ましい。即ち、第１の誘電体及び第２の誘電体は、これらの抵抗温度係数の符号が互いに反対であり、かつ、実質的に同じ大きさとなるような組み合わせであることが好適である。
【００５０】
Xu素子の例を以下に説明するが、本発明で用いられるXu素子は、ここに示す例に限定されない。
【００５１】
第１に、周波数の増加に従ってインピーダンスが減少するところの第１の誘電体と、周波数の増加に従ってインピーダンスが増加するところの第２の誘電体とを純化して混合する。そして、触媒を混合材料に付加して、混合誘電体を生成するために混合材料が焼結される。
【００５２】
次に、混合誘電体は研磨（ミリング）し、噴霧乾燥処理により誘電体の粉末（パウダー）が得られる。そして、粉末を型に入れて成形する。
【００５３】
次いで、成型後に粉末冶金炉の高温の粉末冶金（シンタリング）を行う。粉末冶金の後に、粉末は導体となる。
【００５４】
最後に、高温の粉末冶金の完成品を成型して導線をつなぎ、導体の完成品（電子素子）が得られる。
【００５５】
ここで得られた導体の完成品は、例えば、周波数自己発振、交流電気の誘起、滞磁現象（ヒステリシス）、電気と磁気の分極現象、温度抵抗変動、常温超伝導等の性質を有する。
【００５６】
従来、インダクタンスが大きいことによりドリフティングを制御ができないことがある。これに対し、設計上必要なことは固定容量とすることである。本実施例では、導体の完成品の抵抗値が急速に変化することにより、等価インダクタンスとなり、インダクタンスのドリフトを補償することができる。
【００５７】
図１４は、直列ノッチ発振器の振幅の変化を周波数の関数として示した図である。直列ノッチ発振器は、周波数を特定の範囲に減衰させる。よって、当該特定の範囲に含まれる特定のノイズをフィルタリングにより除去することができる。
【００５８】
図１５は、並列ノッチ発振器の振幅の変化を周波数の関数として示した図である。並列ノッチ発振器は、特定の範囲の周波数を通過させる。よって、当該特定の範囲に含まれる周波数を除き、大半の周波数はフィルタリングにより除去される。
【００５９】
本発明では、Xu素子を含むフィルタユニットが、直列ノッチ発振器と並列ノッチ発振器の両方として動作することができるので、正のパルス発振と負のパルス発振が結合されて、共振パルス発振が形成される。フィルタユニットは、あらゆるパルス信号に対応することができるので、実質的なオールパスフィルタとして機能することができる。本発明の目的は又、簡単な構造で電力損失を効果的に減少させることにある。
【００６０】
本発明を典型的な実施形態を参照して記述したが、本発明は記載した典型的な実施形態に限定されるものではないことは理解されたい。特許請求の範囲に記載の発明の範囲は、あらゆる修正、均等な構成及び機能を含むように最も広い解釈に従うべきである。
【図面の簡単な説明】
【００６１】
【図１】それぞれ並列に接続された赤色ＬＥＤ、緑色ＬＥＤ及び青色ＬＥＤを駆動するための従来の駆動回路を示す図である。
【図２】直列接続された赤色ＬＥＤ、緑色ＬＥＤ及び青色ＬＥＤを駆動するための共振モードスイッチングコントローラ回路を示す図である。
【図３】ポジティブタイプ（Ｐタイプ）の誘電体の抵抗値（インピーダンス）の変化を、温度の関数として示した図である。
【図４】Ｐタイプの誘電体の温度（電流Ｉ）の変化を、時間の関数として示した図である。この図は、インダクタンスの充電、或いは、キャパシタの放電カーブに相当する。
【図５】ネガティブタイプ（Ｎタイプ）の誘電体の抵抗（インピーダンス）の変化を、温度の関数として示した図である。
【図６】ｎタイプの誘電体の温度（電圧Ｖ）の変化を、時間の関数として示した図である。この図は、インダクタンスの充電、或いは、キャパシタの放電カーブに相当する。
【図７】ｐタイプ誘電体のＩ−Ｖ特性を示す図である。
【図８】ｎタイプ誘電体のＶ−Ｉ特性を示す図である。
【図９】双トンネル効果をヒステリシスで示す図である。
【図１０】Ｘｕ素子に適用されるＲＦ電力を時間関数として表した図である。
【図１１】図１０に対応する、Ｘｕ素子に適用されるＲＦ電力を周波数関数として表した図である。
【図１２】発明の第1の実施形態に対応する電子素子を製造する方法のフローチャートである。
【図１３】発明の第２の実施形態に対応する電子素子を製造する方法のフローチャートである。
【図１４】直列ノッチ発振器の振幅の変化を周波数の関数として示した図である。
【図１５】並列ノッチ発振器の振幅の変化を周波数の関数として示した図である。
【図１】
2010507903.tif 000003
【図２】
2010507903.tif 000004
【図３】
2010507903.tif 000005
【図４】
2010507903.tif 000006
【図５】
2010507903.tif 000007
【図６】
2010507903.tif 000008
【図７】
2010507903.tif 000009
【図８】
2010507903.tif 000010
【図９】
2010507903.tif 000011
【図１０】
2010507903.tif 000012
【図１２】
2010507903.tif 000013
【図１３】
2010507903.tif 000014
【図１４】
2010507903.tif 000015
【図１５】
2010507903.tif 000016
【図１１】
2010507903.tif 000017
【国際調査報告】
2010507903.tif 000018
2010507903.tif 000019